(57)【特許請求の範囲】
【請求項１】
幅方向両端にピン孔列を有する連続用紙（２）を用紙連続方向に搬送する左右一対の搬送手段（２０，１７，１１０）と、該搬送手段（２０，１７，１１０）により搬送された連続用紙（２）を裁断して用紙連続方向に分離する裁断手段（１４）と、該裁断手段（１４）により形成された単票を積み重ねる紙受台（１９，１５０）とを備えた連続用紙裁断装置（１０）において、
上記左右一対の搬送手段（２０，１７，１１０）は、上記裁断手段（１４）より用紙搬送方向上流側に配置され、用紙搬送方向に対して直角方向に移動できるように構成された上流側搬送手段（２０）を含み、
該左右一対の上流側搬送手段（２０）を用紙搬送方向に対して直角方向に同一方向に同じ幅で移動させるスライド手段（６２）と、
前記単票の種類の切り替わりに応じて該スライド手段（６２）の動作を制御するスライド制御手段（５０）とを備えたことを特徴とする、連続用紙裁断装置。
【請求項２】
上記上流側搬送手段（２０）と上記裁断手段（１４）の間に、搬送された連続用紙（２）をその連続方向に切断する切断手段（３０）を備え、
該切断手段（３０）は、用紙搬送方向に対して直角方向に、上記上流側搬送手段（２０）と一体的に移動するように構成されたことを特徴とする、請求項１記載の連続用紙裁断装置。
【請求項３】
上記裁断手段（１４）は、
用紙搬送経路に対して垂直方向一側に配置され、連続用紙（２）の幅方向に形成されたミシン目が到達したときに、用紙搬送経路に対して垂直方向他側に移動して、該ミシン目の少なくとも一部分を押さえるブレード部材（１４ａ）と、
該ブレード部材（１４ａ）に関して用紙搬送方向上流側および下流側に、用紙搬送経路に対して垂直方向両側に配置され、連続用紙（２）を挟持する各一対の用紙挟持ローラ対（１３ａ，１３ｂ；１５ａ，１５ｂ）とを備え、
用紙搬送方向上流側の上記用紙挟持ローラ対（１３ａ，１３ｂ）の少なくと一方のローラ（１３ａ）は、用紙搬送経路に垂直方向に、かつ他方のローラ（１３ｂ）から離れる方向に移動可能に支持され、
該移動可能に支持された少なくとも一方のローラ（１３ａ）を、上記スライド手段（６２）が動作する時に、他方のローラ（１３ｂ）から離れる方向に移動させる挟持解除手段（１１ａ，６８ｘ，６９）をさらに備えたことを特徴とする、請求項１又は２記載の用紙裁断装置。
【請求項４】
連続用紙（２）から形成される単票の種類分けに関する単票分類情報を上記スライド制御手段（５０）に入力する単票分類情報入力手段（５８，５９）と、
上記搬送手段（２０，１７，１１０）および上記裁断手段（１４）の動作を監視して、その動作監視情報を上記スライド制御手段（５０）に入力する動作監視情報入力手段（４４ａ，４４ｂ；６７）とを備え、
上記スライド制御手段（５０）は、上記単票分類情報と上記動作監視情報とに基づき、単票の種類切り替わりに応じて上記スライド手段（６２）を動作させることを特徴とする、請求項１、２又は３記載の用紙裁断装置。
【請求項５】
上記単票分類情報入力手段（５８，５９）は、連続用紙（２）に記入処理を行う記入装置（４）と交信して、少なくとも該記入処理に関する記入処理情報を受け取るインターフェース手段（５９）を含むことを特徴とする、請求項４記載の用紙裁断装置。
【請求項６】
上記スライド制御手段（５０）は、上記上流側搬送手段（２０）が直前の移動方向とは反対方向に移動するように、上記スライド手段（６２）を動作させることを特徴とする、請求項１、２又は３記載の連続用紙裁断装置。
【請求項７】
上記スライド制御手段（５０）は、上記上流側搬送手段（２０）が直前の移動方向と同じ方向に移動するように、上記スライド手段（６２）を動作させることを特徴とする、請求項１、２又は３記載の連続用紙裁断装置。
【請求項８】
上記上流側搬送手段（２０）は、両縁に沿って配列されたピン孔列を有する連続用紙（２）を、そのピン孔列にピン（２２ａ）が係合して搬送するピン搬送手段（２２）を含むことを特徴とする、請求１、２又は３記載の用紙裁断装置。
【請求項９】
紙受台（１９）を昇降するエレベータ装置を備えたことを特徴とする、請求項１、２又は３記載の用紙裁断装置。
【請求項１０】
上記裁断手段（１４）により形成された単票を搬送するベルトコンベア（１１０）を備え、
上記紙受台（１５０）は、上記ベルトベルトコンベア（１１０）の搬送方向下流側端部に傾けて配置されたスッタカー（１５０）であることを特徴とする、請求項１、２又は３記載の用紙裁断装置。
【請求項１１】
上記スライド制御手段（５０）は、上記裁断手段（１４）が連続用紙（２）を裁断した後、次の裁断を行うまでの間に、上記スライド手段（６２）を動作させることを特徴とする、請求項１、２又は３に記載の連続用紙裁断装置。
【請求項１２】
用紙裁断後、次の用紙裁断のために上記スライド手段（６２）が動作することなく連続用紙（２）を搬送する通常搬送時における用紙搬送方向上流側の上記用紙挟持ローラ対（１３ａ，１３ｂ）の隙間は、調整可能であることを特徴とする、請求項３記載の連続用紙裁断装置。
【請求項１３】
用紙搬送方向上流側の上記用紙挟持ローラ対（１３ａ，１３ｂ）の一方のローラ（１３ｂ）は、固定位置に配置され、
用紙搬送方向上流側の上記用紙挟持ローラ対（１３ａ，１３ｂ）の他方のローラ（１３ａ）は、用紙搬送経路に沿って配置された支持板（３００）であって、その一端が揺動自在に支持され、その他端がばね（３１０）の一端により支持された支持板（３００）により、回転自在に支持され、該ばね（３１０）の他端の固定位置が調整可能であり、
用紙搬送方向上流側の上記用紙挟持ローラ対（１３ａ，１３ｂ）のいずれか一方又は両方が回転駆動されることを特徴とする、請求項１２記載の連続用紙裁断装置。
【発明の詳細な説明】
【０００１】
【発明の属する技術分野】
本発明は、用紙裁断装置に関する。
【０００２】
【従来の技術】
従来、連続用紙をその連続方向に搬送し、搬送中に連続用紙を裁断して、単票を紙受台上に積み重ねる連続用紙裁断装置が提供されている。この装置を用いると、コンピュータのデータをプリントアウトした連続用紙を単票に裁断することによって、多数の書類を効率良く作成することができる。
【０００３】
連続用紙裁断装置で裁断して紙受台に積み重ねられた単票は、たとえば支店別、項目別等、種類別に自動的に区分けされると便利である。そのために、裁断した単票の種類に応じて紙受台が用紙幅方向にスライドし、紙受台に対する単票の相対位置を種類ごとに幅方向にずらして重ねる第１のタイプの装置や、種類が変わるごとに１枚だけ位置をずらして重ねる第２のタイプの装置や、区分け用に単票間にテープを自動的に挿入する第３のタイプの装置が提案されている。
【０００４】
【発明が解決しようとする課題】
しかし、第１のタイプの装置では、大量の単票が載った紙受台をスライドさせるために、大きな駆動パワーが必要となる。また、紙受台が昇降機構によって昇降する昇降する場合、昇降機構にスライド機構を複合する必要が生じ、構成が複雑になってしまう。第２のタイプの装置では、紙受台から単票を取り出す時に、ずれた単票を揃え直すという面倒な作業を必要とする。第３の装置では、紙受台から単票を取り出す時に、テープを取り除くという余分な作業を必要とし、また、テープそのものがゴミになるなどの問題がある。
【０００５】
したがって、本発明が解決しようとする技術的課題は、裁断した単票を種類ごと区分けでき、区分け後に余分な作業が不要であり、かつ構成が簡単な連続用紙裁断装置を提供することである。
【０００６】
【課題を解決するための手段および作用・効果】
本発明は、上記技術的課題を解決するために、連続用紙をその連続方向に搬送し、搬送中に連続用紙を裁断して、単票を紙受台上に積み重ねる連続用紙裁断装置において、裁断前の連続用紙の幅方向位置を変更し、その結果、紙受台上の単票の幅方向位置を変更できるように構成したことを基本的特徴とする、連続用紙裁断装置を提供する。具体的には、以下のように構成される。
【０００７】
連続用紙裁断装置は、幅方向両端にピン孔列を有する連続用紙を用紙連続方向に搬送する左右一対の搬送手段と、該搬送手段により搬送された連続用紙を裁断して用紙連続方向に分離する裁断手段と、該裁断手段により形成された単票を積み重ねる紙受台とを備えたタイプのものである。上記左右一対の搬送手段は、上記裁断手段より用紙搬送方向上流側に配置され、用紙搬送方向に対して直角方向に同一方向に同じ幅で移動できるように構成された上流側搬送手段を含む。連続用紙裁断装置は、該上流側搬送手段を用紙搬送方向に対して直角方向に移動させるスライド手段と、前記単票の種類の切り替わりに応じて該スライド手段の動作を制御するスライド制御手段とを備える。
【０００８】
上記構成において、スライド制御手段の制御によりスライド手段が動作すると、裁断手段より用紙搬送方向上流側において、連続用紙は用紙搬送方向に対して直角方向にスライドされる。一般に、スライドと用紙裁断とを同時に行うようにすると、構成が複雑になる。これに対し、スライドと用紙裁断とを別個に行うように構成すれば、すなわち、裁断手段が連続用紙を裁断した後、次の裁断を行うまでの間に、スライドを行うように構成すれば、構成を簡単にできるので好ましい。また、特に、上記上流側搬送手段が、両縁に沿って配列されたピン孔列を有する連続用紙を、そのピン孔列にピンが係合して搬送するピン搬送手段を含む場合、ピン搬送手段をスライドすることによって、連続用紙の裁断手段より用紙搬送方向上流側を容易かつ精度よくスライドすることができ、好ましい。
【０００９】
このスライドされた部分から裁断された単票は、紙受台に積み重ねられる時、その下にあるスライド前に裁断された単票に対して、スライド分だけ幅方向位置がずれている。
【００１０】
上記構成によれば、単票の種類の切り替わりに応じて連続用紙をスライドすることによって、単票を種類ごとにずらして紙受台に積み重ねることができる。単票は、種類ごとに揃えられており、また、区分けのために、テープ等の余分な部材を用いない。また、上流側搬送手段は、裁断される単票の量に関係なく、常に一定の駆動パワーでスライドでき、その駆動パワーも小さくなる。また、上流側搬送手段のスライド機構は、簡単な構成とすることができる。特に、紙受台を昇降するエレベータ装置を備える場合や、裁断手段により形成された単票を搬送するベルトコンベアを備え、ベルトベルトコンベアの搬送方向下流側端部に傾けて配置されたスッタカーが紙受台である場合であっても、スライド機構はエレベータ機構やベルトコンベアとは別個独立の機構であるので、構成は簡単になる。
【００１１】
したがって、裁断した単票を種類ごと区分けでき、区分け後に余分な作業が不要であり、かつ構成が簡単である。
【００１２】
好ましくは、上記上流側搬送手段と上記裁断手段の間に、搬送された連続用紙をその連続方向に切断する切断手段を備える。該切断手段は、用紙搬送方向に対して直角方向に、上記上流側搬送手段と一体的に移動するように構成される。
【００１３】
上記構成によれば、切断手段により連続用紙を用紙連続方向に切断する場合、切断手段は、上流側搬送手段のスライドに連動して一体的にスライドするので、連続用紙に対する相対位置は変わらない。したがって、単票の種類が異なっても、同一寸法形状の単票を形成することができる。
【００１４】
好ましくは、上記裁断手段は、用紙搬送経路に垂直方向一側に配置され、連続用紙の幅方向に形成されたミシン目が到達した時に、該ミシン目の少なくとも一部分を用紙搬送経路に垂直方向他側に押さえるブレード部材と、該ブレード部材に関して用紙搬送方向上流側および下流側に、用紙搬送経路を垂直方向に挟んで両側に配置され連続用紙を挟持する各一対の用紙挟持ローラ対とを備える。用紙搬送方向上流側の上記用紙挟持ローラ対の少なくと一方のローラは、用紙搬送経路に垂直方向、かつ他方のローラから離れる方向に移動可能に支持される。該移動可能に支持された少なくとも一方のローラを、上記スライド手段が動作する時に、他方のローラから離れる方向に移動させる挟持解除手段をさらに備える。
【００１５】
上記構成によれば、ブレード部材の両側に配置した用紙挟持ローラ対で連続用紙のミシン目の両側を拘束した状態で、ミシン目をブレード部材で押さえ、ミシン目に対して直角方向に張力を与えることによって、ミシン目に沿って連続用紙を分離することができる。このとき、用紙挟持ローラ対は静止していても、動いて用紙を搬送していてもよいが、用紙挟持ローラ対間で用紙搬送速度に差を設ければ、張力を一層大きくして裁断を促進することができる。
【００１６】
上記構成によれば、スライド手段が動作する時には、用紙搬送方向上流側の用紙挟持ローラ対の間隔が広がり、用紙挟持は解除されるので、連続用紙上流側の未裁断部分を拘束することなく一体的にスライドでき、用紙幅方向のずれによるしわや破れなどの不具合発生を回避することができる。
【００１７】
好ましくは、連続用紙から形成される単票の種類分けに関する単票分類情報を上記スライド制御手段に入力する単票分類情報入力手段と、上記搬送手段および上記裁断手段の動作を監視して、その動作監視情報を上記スライド制御手段に入力する動作監視情報入力手段とを備える。上記スライド制御手段は、上記単票分類情報と上記動作監視情報とに基づき、単票の種類切り替わりに応じて上記スライド手段を動作させる。
【００１８】
上記構成によれば、単票の種類に応じて、自動的にスライド手段を動作させ、単票を種類ごとに区分けすることができる。また、搬送手段および裁断手段の動作を監視しながら、用紙搬送を停止することなくスライド手段を動作させ、処理効率を向上することができる。
【００２１】
より好ましくは、上記単票分類情報入力手段は、連続用紙に記入処理を行う記入装置と交信して、少なくとも該記入処理に関する記入処理情報を受け取るインターフェース手段を含む。
【００２２】
上記構成によれば、インターフェース手段は、記入処理情報に基づいて単票分類情報をスライド制御手段に入力することができる。プリンタ等の記入装置から出力された記入処理済みの連続用紙を連続して用紙裁断装置により裁断する場合、用紙裁断装置は、連続用紙への記入内容の種類の切り替わりに応じて適宜タイミングでスライド処理を行い、記入内容の種類の切り替わりに応じて単票を区分けして紙受台に積み重ねることができる。
【００２３】
単票は、基本的には２つの態様で種類ごとに揃えて紙受台上に積み重ねられる。
【００２４】
第１の態様は、上記スライド制御手段により、上記上流側搬送手段が直前の移動方向とは反対方向に移動するように、上記スライド手段を動作させる構成によって、実現する。
【００２５】
上記構成によれば、たとえば図７（ａ）に示すように、上記給紙台上には、種類ごとに揃えられた単票群２ｓ，２ｔ，２ｕは、隣接する単票群同士が互いに幅方向に交互にずれた状態となる。単票の種類の数が増えても、区分けすることが可能である。なお、区分けが多くても積み重ねられた単票が崩れにくくするためには、上記上流側搬送手段は、毎回、同じ距離だけ直前とは反対方向に移動し、２位置間を往復することが好ましい。
【００２６】
第２の態様は、上記スライド制御手段により、上記上流側搬送手段が直前の移動方向とは同じ方向に移動するように、上記スライド手段を動作させる構成によって実現される。
【００２７】
上記構成によれば、たとえば図７（ｂ）に示すように、上記給紙台上には、種類ごとに揃えられた単票群２ｘ，２ｙ，２ｚは、隣接する単票群同士が幅方向の同じ側に順にずれた状態となる。種類ごとの単票群のずれ方向が一定であるので、種類ごとの単票群のずれ方向が交互である場合に比べ、２以上の種類の単票群をまとめて１つの種類としてしまうというミスが生じにくい。
【００２８】
上記２つの基本態様を適宜に組み合わせることによって、より複雑な態様で単票を種類ごとに区分けして、紙受台に積み重ねることも可能である。また、たとえば図９に示すように、片側のピン孔列のみ裁断した単票群２ｍ，２ｎの積載時には、マージン部（ピン孔列のある未裁断部分）側が膨らんでも、単票群２ｍ，２ｎの積載バランスが崩れないようにすることができる。
【００２９】
ところで、前述のように、裁断手段はブレード部材と連続用紙を挟持する各一対の用紙挟持ローラ対とを備え、用紙搬送方向上流側の用紙挟持ローラ対の少なくとも一方のローラが、用紙搬送経路に垂直方向に、かつ他方のローラから離れる方向に移動可能に支持され、該移動可能に支持された少なくとも一方のローラを、スライド手段が動作する時に、他方のローラから離れる方向に移動させる挟持解除手段をさらに備えた構成とした場合、好ましくは、用紙裁断後、次の用紙裁断のために上記スライド手段が動作することなく連続用紙を搬送する通常搬送時における用紙搬送方向上流側の上記用紙挟持ローラ対の隙間は、調整可能である。
【００３０】
上記構成において、用紙裁断後、次に裁断のためにスライド手段が動作することなく用紙を搬送する通常搬送時において、連続用紙は、用紙搬送方向上流側の用紙挟持ローラ対の間を通る。このときにおける用紙搬送方向上流側の用紙挟持ローラ対の間の隙間を調整することができるので、用紙搬送方向上流側の用紙挟持ローラ対により連続用紙に適宜な搬送力を与え、たとえば、腰の弱い用紙が、上流側搬送手段と用紙搬送方向上流側の用紙挟持ローラ対との間でたわまないようにすることができる。
【００３１】
したがって、通常搬送時において、用紙搬送方向上流側の用紙挟持ローラ対により与える搬送力を、連続用紙に応じて個別に、適宜に調整することができる。
【００３２】
より好ましくは、用紙搬送方向上流側の上記用紙挟持ローラ対の一方のローラは、固定位置に配置される。用紙搬送方向上流側の上記用紙挟持ローラ対の他方のローラは、支持板により、回転自在に支持される。該支持板は、用紙搬送経路に沿って配置され、その一端が揺動自在に支持され、その他端がばねの一端により支持される。該ばねの他端の固定位置は、調整可能である。用紙搬送方向上流側の上記用紙挟持ローラ対のいずれか一方又は両方が回転駆動される。
【００３３】
上記構成において、支持板およびそれに支持された用紙搬送方向上流側の用紙挟持ローラ対の一方のローラなどの自重と、ばねによる引張力または圧縮力とがバランスし、用紙搬送方向上流側の用紙挟持ローラ対の一方のローラは、弾力的に支持される。用紙搬送方向上流側の用紙挟持ローラ対の間の隙間は、ばねの他端の固定位置を変更し、ばねによる引張力または圧縮力を変えることによって、調整することができる。
【００３４】
上記構成によれば、連続用紙に応じて個別に、用紙搬送方向上流側の用紙挟持ローラ対により連続用紙に適切な搬送力を与えるように調整することが容易である。
【００３５】
【発明の実施の形態】
以下、本発明の一実施形態に係る連続用紙裁断装置について、図面を参照しながら説明する。図中、矢印９８は、用紙搬送方向を示している。
【００３６】
連続用紙裁断装置１０は、図１の全体構成図に示すように、従来の装置と大略同様に構成されている。すなわち、左右両縁に沿ってピン孔列（図示せず）を有しミシン目（図示せず）に沿って折り畳まれた連続用紙２を、ピントラクタ２０で搬送し、そのピン孔列を含む縁部分２ｂをスリッタ３０で切断して除去し、残った中心部分２ａをバースト部１４によりミシン目で裁断し、裁断した単票をかき込みローラ１７によって搬送し、紙受台１９上に積み重ねるようにした装置である。
【００３７】
詳しくは、連続用紙２は、ブラシ状の用紙押さえ部材１２を通過した後、ピントラクタ２０により搬送される。ピントラクタ２０は、図１、図２の要部平面図に示すように、ピン２２ａが突設され回転するチェーンベルト２２に、連続用紙２のピン孔列が係合して、連続用紙２を搬送するようになっている。スリッタ３０は、連続用紙２が上刃３２と下刃３４の間を通過するときに、連続用紙２を切断するようになっている。スリッタ３０の幅方向位置（用紙搬送方向に対して直角方向の位置）は、レバー３６を押し下げスリッタスライド軸６０に沿ってスリッタ３０全体を移動することによって調整できるようになっている。
【００３８】
バースト部１４は、バーストロール１４ａが用紙搬送経路を上から下へ横断し、連続用紙２のミシン目を押し下げ、ミシン目に沿って連続用紙２を裁断する。バーストロール１４ａは、前ゴムローラ対１３ａ，１３ｂと後ゴムローラ対１５ａ，１５ｂの間に配置されている。前ゴムローラ対１３ａ，１３ｂと後ゴムローラ対１５ａ，１５ｂは、ミシン目に沿って用紙を裁断する一瞬時だけ、用紙を挟持する。後ゴムローラ１５ａ，１５ｂの周速は、前ゴムローラ１３ａ，１３ｂの周速より速くなっていて、ミシン目に直角方向に張力を与え、ミシン目に沿っての裁断を促進するとともに、ミシン目に沿って隙間を形成する。用紙搬送経路を挟んで配置した透過センサの発光部４４ａおよび受光部４４ｂにより、連続用紙２の裁断後の未裁断側（上流側）の先端部を検知し、エンコーダ板６７ａのパルスをカウントして、次のミシン目がバーストロール１４ａに合うタイミングで前ゴムローラ対１３ａ，１３ｂおよび後ゴムローラ対１５ａ，１５ｂが用紙を挟持するように制御する。
【００３９】
裁断された単票は、後ゴムローラ対１５ａ，１５ｂと同じ周速で回転する排紙ローラ対１６ａ，１６ｂにより装置本体の排紙部１１ｋから排出され、矢印９２で示す方向に回転するかき込みローラ１７によってかき込まれ、その先端が止めガイド１８に当たり、紙受台１９上に積み重ねられる。
【００４０】
かき込みローラ１７は、回動支点１７ｓを中心に矢印９３で示すように適宜タイミングで揺動するレバー１７ａの先端に支持されている。止めガイド１８は、矢印９７で示すように、単票の搬送方向寸法に応じて位置調整できるようになっている。
【００４１】
紙受台１９は、エレベータ装置によって昇降するように構成され、紙受台１９上に積み重ねられた用紙の高さをエレベーター制御センサ４５で検出し、用紙高さが排紙部１１ｋに対して所定範囲内となるように適宜下降する。紙受台１９の下限位置は、スタッカーフルスイッチ４７によって検出される。
【００４２】
また、排紙部１１ｋに隣接して、回動支点４６ｓに矢印９１で示すように揺動自在に支持されたジャム検知板４６ａが配置され、排出部１１ｋ付近で用紙が詰まるなどのトラブル時にジャム検知板４６ａが押し上げられると、それをジャムスイッチ４６で検知するようになっている。
【００４３】
装置本体の上部には装置内部が見えるように複数に上カバー（図示せず）が設けられ、各上カバーの開閉はインターロックスイッチ４１，４２，４３で検出され、上カバーが開いているときには、安全のために連続用紙裁断装置１０を停止するようになっている。
【００４４】
ところで、連続用紙裁断装置１０は、従来の装置と異なり、単票の種類の切り替えに対応して連続用紙２を用紙搬送方向に対して直角方向にスライドし、たとえば図７（ａ）の斜視図に示すように、種類ごとに区分けした単票群２ｓ，２ｔ，２ｕごとに、用紙幅方向、すなわち用紙搬送方向に対して直角方向に交互に所定距離（たとえば、約１ｃｍ）ずらして紙受台１９上に積み重ねることができるようになっている。具体的には、以下のように構成する。
【００４５】
図１、図２に示すように、ピントラクタ２０は、ピントラクタスライド軸６２およびピントラクタ駆動軸６６によって支持され、ピントラクタスライド軸６２に固定されている。スリッタ３０は、スリッタスライド軸６０およびスリッタ駆動軸６４に支持され、スリッタスライド軸６０に固定されている。各軸６０，６２，６４，６６は、用紙搬送方向に対して直角方向に、用紙搬送経路に沿って互いに平行に配置されている。
【００４６】
スリッタスライド軸６０およびピントラクタスライド軸６２の両端は、それぞれ、フレーム１１ｆに回転自在に支持されたプーリー６０ｐ，６２ｐと、フレーム１１ｆに固定されたシャフトガイド６３とにより、回転不自在かつ軸方向移動自在に支持される。
【００４７】
すなわち、スリッタスライド軸６０の一端側の外周面には、らせんねじ６０ａが形成され、図４（ｃ）の断面図に示すように、プーリー６０ｐの内周面に形成したらせんねじ６０ｑと螺合するようになっている。ピントラクタスライド軸６２についても、同様に構成される。
【００４８】
ピントラクタスライド軸６２の他端には、図５の要部拡大断面図に示すように、キー溝６２ｋが形成され、フレーム１１ｆに固定されたシャフトガイド６３の中心穴に挿通されるようになっている。シャフトガイド６３内には、キー溝６２ｋに係合するキー６３ｔが軸方向移動不在に配置され、ピントラクタスライド軸６２の軸方向の移動を許容するが、回転は阻止するようになっている。スリッタスライド軸６０についても、同様に構成される。
【００４９】
スリッタスライド軸６０の位置は、スリッタスライド軸６０の軸端に固定した遮光板５７ｘの先端が、装置本体に固定されたフォトインタラプタ、すなわち幅検出センサ５７ａ，５７ｂを遮ることによって検出できるようになっている。
【００５０】
スリッタ駆動軸６４およびピントラクタ駆動軸６６は、ベアリングを介してフレーム１１ｆに、回転自在かつ軸方向移動不自在に支持される。スリッタ駆動軸６４およびピントラクタ駆動軸６６の一方の軸端には、それぞれプーリー６４ｐ，６６ｐが固定され、不図示のベルトによって回転が伝達されるようになっている。スリッタ駆動軸６４には、図５（ａ）に示すように、スリッタ３０の下刃３４とキー結合するためのキー溝６４ａが形成されている。ピントラクタ駆動軸６６は、図５（ｂ）に示すように、正方形断面であり、チェーンベルト２２のスプロケット（図示せず）に係合して回転を伝達できるようになっている。ピントラクタ駆動軸６６の他方の軸端には、エンコーダ板６７ａが固定され、装置本体に固定したフォトインタラプタ６７ｂとともに、搬送エンコーダ６７を構成するようになっている。
【００５１】
プーリー６０ｐ，６２ｐは、ずらしモータ５４の出力軸に固定されたプーリー５４ｐによって回転されるベルト７０（図２では図示せず。図４参照）を介して同期して回転するようになっている。プーリー６０ｐ，６２ｐが回転すると、スライド軸６０，６２は回転せずに軸方向に同じ距離だけ、ねじ送りされるようになっている。これによって、スリッタスライド軸６０およびピントラクタスライド軸６２にそれぞれ固定されたスリッタ３０およびピントラクタ２０は、一体的に用紙搬送方向に対して直角方向に、ずらし幅検出センサ５７ａまたは５７ｂによって検知される２位置間を交互に移動するようになっている。
【００５２】
バースト部１４は、図３に示すように、前ゴムローラ対１３ａ，１３ｂのうち、下側ローラ１３ｂは、フレーム１１ｆの固定位置に回転自在に固定され、駆動される。上側ローラ１３ａは、ベアリング８２を介して前ゴムローラ駆動軸６８に回転自在に支持されている。前ゴムローラ駆動軸６８は、前ゴムローラ１３ａの両側に、偏心カム６９が固定される。また、前ゴムローラ駆動軸６８の両端側には、スプリング６８ｘにより上向きに付勢される支持板８１がベアリング８０を介して回転自在に取り付けられている。これによって、前ゴムローラ駆動軸６８は、フレーム１１ｆに回転自在に固定された支持ローラ１１ａに偏心カム６９が当接するように、上向きに付勢されるようになっている。前ゴムローラ駆動軸６８の軸端にはプーリー６８ｐが固定されている。ベルト７０にはプーリーを介してロータリー・ソレノイド１７ｎ（図６参照）が設置され、ミシン目がバーストロール１４ａに合ったタイミングにて電圧を印加して所定量プーリー６８ｐを回転させる。詳しくは、偏心カム６９の回転は、上側ローラ１３ａ，１５ａを下側ローラ１３ｂ，１５ｂに押し付けるだけでの偏心量大の位置で一瞬止まり、用紙を裁断した後、偏心カム６９は元の位置に戻り、上側ローラ１３ａ，１５ａと下側ローラ１３ｂ，１５ｂは互いに離れる。上下のローラ１３ａ，１３ｂには、それぞれ連動歯車１３ｓ，１３ｔが固定されていて、上側ローラ１３ａが下側ローラ１３ｂに接近したときに連動歯車１３ｓ，１３ｔが噛合し、上下のローラ１３ａ，１３ｂが同期して回転するようなっている。
【００５３】
上述のように、偏心カム６９は、ロータリー・ソレノイド１７ｎにより回転する。また、上下のローラ１３ａ，１３ｂ；１５ａ，１５ｂは、裁断時だけ接近し、それ以外は離れている。用紙裁断時以外のときに、ピントラクタ２０およびスリッタ３０が２位置間をスライドするようになっていて、ピントラクタ２０およびスリッタ３０のスライド時には、前ゴムローラ対１３ａ，１３ｂによる用紙挟持が解除されるようになっている。
【００５４】
連続用紙裁断装置１０の制御系は、図６に示すように構成されている。すなわち、制御を統括する５０には、プリンタ４のＣＰＵ６と通信するためプリンタ４の通信用インターフェース５と接続される通信用インターフェース５９、動作プログラムなどを記憶するためのＲＯＭ５１、設定条件などのデータを一時的に記憶するためのＲＡＭ５２、用紙搬送のためのメインモータ１１、止めガイド１８の位置を動かすための止めガイドモータ５３、ピントラクタ２０およびスリッタ３０をスライドするためのずらしモータ５４、紙受台１９を昇降するためのエレベータモータ１９ｍ、かき込みローラ１７を回転するためのかき込みローラモータ１７ｍ、偏心カム６９を駆動するためのロータリー・ソレノイド１７ｎ、止めガイド１８の位置を検出するためのポテンショ・メーター５６、用紙搬送状態を検出するための搬送エンコーダ６７、ピントラクタ２０およびスリッタ３０のスライド位置を検出するためのずらし幅検出センサ５７ａ，５７ｂ、上カバーの開閉を検出するインターロックスイッチ４１，４２，４３、用紙の裁断を検出する透過センサ４４ａ，４４ｂ、紙受台１９上の用紙の高さを検出するエレベーター制御センサ４５、排紙部１１ｋ付近でのジャミングを検出するためのジャムスイッチ４６、装置の運転条件などを設定するための操作パネル５８が接続されている。
【００５５】
次に、単票の種類が切り替わる時の連続用紙裁断装置１０の動作について説明する。
【００５６】
種類切り替わりの境界となるミシン目がバーストロール１４ａにより裁断されると、ずらしモータ５４が回転し、ベルト７２を介して、スリッタスライド軸６０のプーリー６０ｐと、ピントラクタスライド軸６２のプーリー６２ｐと、前ゴムローラ駆動軸６８のプーリー６８ｐが回転する。これによって、同期して、ピントラクタ２０とスリッタ３０とがスライドする。そして、バーストロール１４ａより上流側の連続用紙２は、前ゴムローラ対１３ａ，１３ｂによって拘束されることなく、用紙搬送方向に対して直角方向にスライドされる。
【００５７】
一方、バーストロール１４ａより下流側の単票は、後ゴムローラ対１５ａ，１５ｂおよび排紙ローラ対１６ａ，１６ｂによって搬送され、その先端が止めガイド１８に当接して紙受台１９へ落下し、それまでに裁断された単票の上に幅方向および搬送方向に揃った状態で重なる。
【００５８】
ところで、用紙裁断時は、上下のローラ１３ａ，１３ｂ；１５ａ，１５ｂで用紙を挟持するので、ピントラクタ２０およびスリッタ３０のスライドは、用紙裁断時以外の時、すなわち、用紙裁断後、次の裁断までの間に行う。一般に、処理効率の向上を図るには、用紙搬送速度を速くするとともに、ピントラクタ２０およびスリッタ３０のスライド中も用紙搬送および切断動作を継続すればよい。しかし、用紙搬送速度が速いと、スライド時にピントラクタ２０より上流側において連続用紙２がミシン目で破れるなどの不都合が生じるおそれがある。そのため、用紙搬送速度が速い場合には、ピントラクタ２０およびスリッタ３０のスライド中には、用紙搬送および切断動作の速度を減速することが必要となる。減速しても、停止する場合よりは処理効率は高くなる。
【００５９】
ピントラクタ２０およびスリッタ３０のスライドが完了した後、連続用紙２はスライドした状態で、同様に裁断され、単票が紙受台１９上に重ねられる。スライド後には単票の位置もスライドするので、スライド後に裁断された単票は、それまでの単票に対してスライドした位置に、揃えて重ねられる。したがって、単票の種類の切り替わりに応じて連続用紙をスライドすることによって、種類ごとの単票群は、隣接する単票群とは互いに用紙幅方向にずれた状態で、紙受台１９に積み重ねられる。
【００６０】
プリンタ４により印字された連続用紙２を、連続して、連続用紙裁断装置１０で裁断する場合、連続用紙裁断装置１０は、単票の種類の切り替わりの情報をプリンタ４から受けて処理すればよい。なお、用紙裁断装置１０の処理能力がプリンタ４の処理能力を超える場合には、用紙裁断装置１０はプリンタ４と通信して断続的に処理を行うなど、タイミングを取る制御が必要となるが、用紙裁断装置１０の処理能力がプリンタ４の処理能力を超えない場合には、このようなプリンタの処理を待つ制御は不要になる。
【００６１】
以上説明した連続用紙裁断装置１０は、紙受台１９のエレベータ装置とは別に、ピントラクタ２０およびスリッタ３０のスライドのスライド機構を設けているため、紙受台１９をスライドする場合に比べ、構成が簡単になる。また、紙受台１９に載置された多量の単票を移動しないので、スライドに要する駆動パワーも小さくなり、紙受台１９に積み重ねた単票が崩れたり乱れることもない。
【００６２】
したがって、単票を種類ごと区分けでき、区分け後に余分な作業が不要であり、かつ構成が簡単である。
【００６３】
なお、本発明は上記実施形態に限定されるものではなく、その他種々の態様で実施可能である。
【００６４】
たとえば、ミシン目で裁断した後にさらに、幅方向に化粧裁断を行うようにしてもよい。また、ピン孔列やミシン目を有しない連続用紙についても、本発明を適用することは可能である。たとえば、連続用紙をローラ対で搬送し、スライド時にはバースト部１４より上流側のローラ対が離れるようにすればよい。
【００６５】
また、上記実施形態では、左右一対の構成要素からなるピントラクタ２０およびスリッタ３０は、左右の構成要素の間隔が一定のまま一体的に幅方向にスライドされるが、左右の構成要素がそれぞれ独立してスライドされるように構成してもよい。この場合には、用紙幅に合わせて、ピントラクタ２０およびスリッタ３０の左右の構成要素の幅方向位置や間隔を自動的に初期設定することが可能となる。
【００６６】
また、図８に示すように、連続用紙裁断装置本体１０ｘの単票排出側にコンベアスタッカー１００を結合してもよい。コンベアスタッカー１００は、連続用紙裁断装置１０から排出された単票を、ベルトコンベア１１０によってゆっくり搬送し、その端部に設けたスタッカー１５０に斜めに立てた状態で単票１８０を積み重ねるようにした装置である。ベルトコンベア１１０上には、ストッパーローラ１２０が設けられ、連続用紙裁断装置本体１０ｘから排出された単票の勢いを止めるようになっている。ストッパーローラ１２０は、支持アーム１２４の一端に回転自在に固定され、用紙搬送方向（矢印１９０で示す）に対して直角に配置された固定軸１２２を中心に、矢印１９２で示すように自在に回動でき、自重でベルトコンベア１１０上に乗るようになっている。ストッパーローラ１２０に当接して止められ単票は、次々と重なり、ある程度の枚数がまとまると、ストッパーローラ１２０を持ち上げ、一群となってスタッカー１５０へ搬送されて積み重ねられる。
【００６７】
ところで、前述の連続用紙裁断装置１０では、連続用紙の裁断時にのみ、前ゴムローラ１３ａ，１３ｂは連続用紙を挟持し、それ以外の時には、連続用紙をスライドする時も含め、前ゴムローラ１３ａ，１３ｂ間の隙間は最大となっている。そのため、連続用紙の裁断後、次の裁断のため、ピントラクタ２０がスライドすることなく連続用紙を送る通常搬送時においては、連続用紙が前ゴムローラ１３ａ，１３ｂの間を通過するとき、連続用紙の厚さに比べて、前ゴムローラ１３ａ，１３ｂ間の隙間は十分に広く、連続用紙は、前ゴムローラ１３ａ，１３ｂから送り力を受けることはない。
【００６８】
しかし、連続用紙の紙質によっては、ピントラクタ２０による送りだけでは、ピントラクタ２０と前ゴムローラ１３ａ，１３ｂとの間で連続用紙にたわみが生じ、その結果に、用紙に皺ができる場合がある。
【００６９】
そこで、通常搬送時においても、前ゴムローラ１３ａ，１３ｂで連続用紙を搬送することが考えられるが、単純に、前ゴムローラ１３ａ，１３ｂ間の隙間を閉じると、連続用紙に二重、三重に用紙を重ねたパーツ物と呼ばれる連続用紙などでは、用紙に腰がある分、逆にピントラクタ２０と前ゴムローラ１３ａ，１３ｂとの間で連続用紙に負荷を与えてしまい、重なっているそれぞれの用紙がバランス良く送られずに皺が発生する場合もある。さらには、連続用紙の表面状態の条件も加わるため、前ゴムローラ１３ａ，１３ｂの隙間を全開と全閉の２つの状態とするだけでは、すべての連続用紙に適切に対応することができない。
【００７０】
これに対しては、図１０に示すように、前ゴムローラ１３ａ，１３ｂの隙間を、全開と全閉の２つの状態の間の微妙な中間状態にも設定できるように構成すれば、すべての連続用紙に適切に対応することが可能となる。
【００７１】
すなわち、下側の前ゴムローラ１３ｂは、固定位置に配置され、回転駆動される。上側の前ゴムローラ１３ａは、矢印３９０で示す用紙搬送方向の下流側の一端が支持軸３０２により回動自在に支持された支持板３００の上流側の他端に、回転自在に支持される。さらに、支持板３００の他端には、引張ばね３１０の一端が係止され、引張ばね３１０によって支持板３００は上方に引っ張られ、支持板３００や前ゴムローラ１３ａ等の自重とバランスするようになっている。これによって、上側の前ゴムローラ１３ａは、弾力的に支持される。引張ばね３１０の他端は、ブラケット３１２に固定されており、このブラケット３１２の角度を、矢印３９２，３９４で示すように変えると、支持板３００の他端側が、矢印３９５，３９６で示すように上下する。これによって、通常搬送時の前ゴムローラ１３ａ，１３ｂ間の隙間δを、連続用紙ごとに個別に微調整することができる。
【００７２】
一方、用紙切断時には、偏心カム６９が回転して当接ローラ１１ａに当接し、これによって前ゴムローラ１３ａを押し下げ、前ゴムローラ１３ａ，１３ｂは連続用紙を挟持することができる。当接ローラ１１ａの固定位置を変えると、前ゴムローラ１３ａの押し下げ位置が変わり、前ゴムローラ１３ａ，１３ｂ間の挟持力を調整することができる。
【００７３】
さらに、支持板３００の他端は、ワイヤ３２０を介してソレノイド３３０により、選択的に引き上げられるようになっている。ソレノイド３３０は、適宜位置に固定されている。３３２は、ソレノイド３３０のストッパである。ソレノイド３３０がオンになると、支持板３００の他端が引き上げられ、前述の装置１０と同様、偏心カム６９が当接ローラ１１ａに当接するようになっている。これによって、前ゴムローラ１３ａ，１３ｂの間の隙間δは最大となり、連続用紙のスライドが可能となる。
【００７４】
このように構成すると、前ゴムローラ１３ａ，１３ｂの隙間を、連続用紙ごとに個別に微調整することにより、通常搬送時に、連続用紙を前ゴムローラ１３ａ，１３ｂにより適度の送り力で搬送し、連続用紙がピントラクタ２０と前ゴムローラ１３ａ，１３ｂの間でたわまないようにすることができ、その結果、用紙に皺が発生するのを防止することができる。
【００７５】
なお、下側の前ゴムローラ１３ｂの代わりに、上側の前ゴムローラ１３ａを回転駆動するようにしても、あるいは、両方の前ゴムローラ１３ａ，１３ｂを回転駆動するようにしてもよい。
【図面の簡単な説明】
【図１】  本発明の一実施形態を示す連続用紙裁断装置の全体構成図である。
【図２】  図１の連続用紙裁断装置の要部平面図である。
【図３】  図１の連続用紙裁断装置の要部断面図である。
【図４】  図２の要部拡大断面図である。（ａ）、（ｂ）、（ｃ）は、それぞれ、図２の線Ａ-Ａ、Ｂ-Ｂ、Ｃ-Ｃに略沿って切断した断面図である。
【図５】  図２の要部拡大断面図である。（ｄ）、（ｅ）は、それぞれ、図２の線Ｄ-Ｄ、Ｅ-Ｅに略沿って切断した断面図である。
【図６】  図１の連続用紙裁断装置のブロック構成図である。
【図７】  紙受台に裁断した単票を積み重ねるときの基本態様を示す斜視図である。
【図８】  変形例の連続用紙裁断装置の構成図である。
【図９】  片側のみ裁断した単票を紙受台に積載したときの斜視図である。
【図１０】  改良した連続用紙裁断装置の要部平面図である。
【符号の説明】
２  連続用紙
２ａ  中心部分
２ｂ  縁部分
２ｓ，２ｔ，２ｕ  単票群
２ｘ，２ｙ，２ｚ  単票群
４  プリンタ
５  通信用インターフェース
６  ＣＰＵ
１０  連続用紙裁断装置
１０ｘ  連続用紙裁断装置本体
１１  メインモータ
１１ａ  当接ローラ
１１ｆ  フレーム
１１ｋ  排紙部
１２  用紙押さえ部材
１３ａ  前ゴムローラ（用紙挟持ローラ）
１３ｂ  前ゴムローラ（用紙挟持ローラ）
１３ｓ  連動歯車
１３ｔ  連動歯車
１４  バースト部（裁断手段）
１４ａ  バーストロール（ブレード部材）
１５ａ  後ゴムローラ（用紙挟持ローラ）
１５ｂ  後ゴムローラ（用紙挟持ローラ）
１７  かき込みローラ（搬送手段）
１７ａ  レバー
１７ｓ  回動支点
１７ｍ  かき込みローラモータ
１７ｎ  ロータリー・ソレノイド
１８  止めガイド
１９  紙受台
１９ｍ  エレベータモータ
２０  ピントラクタ（搬送手段、上流側搬送手段）
２１  ガイド板
２２  チェーンベルト（ピン搬送手段）
２２ａ  ピン
２８  ガイド板
３０  スリッタ
３２  上刃
３４  下刃
３６  レバー
４１  上カバーインターロックスイッチ
４２  上カバーインターロックスイッチ
４３  上カバーインターロックスイッチ
４４ａ  透過センサ（動作監視情報入力手段）
４４ｂ  透過センサ（動作監視情報入力手段）
４５  エレベーター制御センサ
４６  ジャムスイッチ
４６ａ  ジャム検知板
４６ｓ  回動支点
４７  スタッカーフルスイッチ
５０  ＣＰＵ（スライド制御手段）
５１  ＲＯＭ
５２  ＲＡＭ
５３  止めガイドモータ
５４  ずらしモータ
５４ｐ  プーリー
５６  ポテンショ・メーター
５７ａ  ずらし幅検出センサ（フォトインタラプタ）
５７ｂ  ずらし幅検出センサ（フォトインタラプタ）
５７ｘ  遮光板
５８  操作パネル（単票情報分類入力手段）
５９  通信用インターフェース（単票情報分類入力手段、インターフェース手段）
６０  スリッタスライド軸
６０ａ  らせんねじ
６０ｐ  プーリー
６０ｑ  らせんねじ
６２  ピントラクタスライド軸６２（スライド手段）
６２ａ  らせんねじ
６２ｋ  キー溝
６２ｐ  プーリー
６３  シャフトガイド
６３ａ  係合穴
６３ｔ  キー
６４  スリッタ駆動軸
６４ａ  キー溝
６４ｐ  プーリー
６６  ピントラクタ駆動軸
６６ｐ  プーリー
６７  搬送エンコーダ（動作監視情報入力手段）
６７ａ  エンコーダ板
６７ｂ  フォトインタラプタ
６８  前ゴムローラ駆動軸
６８ｐ  プーリー
６８ｘ  スプリング
６９  偏心カム
７０  ベルト
８０  ベアリング
８１  支持板
８２  ベアリング
９０〜９８  矢印
１００  コンベアスタッカー
１１０  ベルトコンベア（搬送手段）
１２０  ストッパーローラ
１２２  固定軸
１２４  支持アーム
１５０  スタッカー（紙受台）
１８０  単票
１９０，１９２  矢印
３００  支持板
３０２  支持軸
３１０  引張ばね
３１２  ブラケット
３２０  ワイヤ
３３０  ソレノイド
３３２  ストッパ
δ  隙間
【図１】
0004100827.tif 000002
【図２】
0004100827.tif 000003
【図３】
0004100827.tif 000004
【図４】
0004100827.tif 000005
【図５】
0004100827.tif 000006
【図６】
0004100827.tif 000007
【図７】
0004100827.tif 000008
【図８】
0004100827.tif 000009
【図９】
0004100827.tif 000010
【図１０】
0004100827.tif 000011